(57)【特許請求の範囲】
【請求項１】
建設機械の運転室の内部に設けられた衛星受信機の信号受信のために前記運転室の外部に取り付けられる建設機械用衛星アンテナ固定装置において、
前記運転室の外側面に取り付けられる第１取付部と、前記第１取付部から延びて曲設される第２取付部と、前記第２取付部に対して曲設される第３取付部と、を有するブラケットと、
前記第２取付部の上に取り付けられて衛星信号を受信する衛星アンテナと、
前記建設機械の運送中または作業中における障害物との接触による前記衛星アンテナの破損を防ぐために水平方向に倒した前記衛星アンテナのポールを前記第３取付部に固定するハンガーと、を備える
ことを特徴とする建設機械用衛星アンテナ固定装置。
【請求項２】
前記ハンガーは、前記建設機械に繰り返し発生する揺動によって横に倒した前記衛星アンテナの損傷を予防可能なように、前記第３取付部に一方の端が固定され、横に倒した前記衛星アンテナの前記ポールに他方の端が支持されて弾持する引張コイルバネからなる
ことを特徴とする請求項１に記載の建設機械用衛星アンテナ固定装置。
【請求項３】
前記衛星アンテナの前記ポールを倒して高さを低くした後、これを解除する時、前記ポールが元の状態に円滑に戻るように前記衛星アンテナの前記ポールの外側面を覆うチューブ状のゴム製のカバーを備える
ことを特徴とする請求項１に記載の建設機械用衛星アンテナ固定装置。
【請求項４】
前記ブラケットの第２取付部の側面に形成され、前記第３取付部に一方の端が固定される前記ハンガーの他方の端が載置される係止溝を備える
ことを特徴とする請求項１に記載の建設機械用衛星アンテナ固定装置。
【発明の詳細な説明】
【技術分野】
【０００１】
本発明は、建設機械用衛星アンテナ固定装置に係り、さらに詳しくは、運転室（キャブ）の内部に設けられた衛星受信機の信号受信のために、運転室の外部に設けられる衛星アンテナの高さを、建設機械の運送時または天井の低い地下作業場などにおいて作業を行う際に、調整できるようにした建設機械用衛星アンテナ固定装置に関する。
【背景技術】
【０００２】
図１に示す従来の技術による建設機械用衛星アンテナは、運転室１の後方外側面にボルト２により締結されるブラケット３と、運転室１の内部に設けられた衛星受信機（図示せず）の信号受信のためにブラケット３の載置部４の上に取り付けられて衛星信号を受信する衛星アンテナ５と、を備える。
【０００３】
図中、図面符号６は衛星アンテナケーブル、符号７は作業灯、符号８は警光灯、符号９は運転者保護構造物（ＦＯＰＳ）である。
【０００４】
従来の技術による建設機械用衛星アンテナは、衛星アンテナ５のポール（ｐｏｌｅ）の高さがブームなどの作業装置の高さよりも低いため、通信障害の問題が発生して衛星アンテナ５の性能が正常に発揮されない結果、顧客からの不満が提起されるという問題点がある。
【０００５】
また、ブラケット３の載置部４の上に取り付けられた衛星アンテナ５の高さを調整することができない。このため、掘削機を搭載した運送車両が陸橋の下を通過したり、天井の低い地下作業場などにおいて作業を行う際、運転室１の上方にポールが突設された衛星アンテナ５の破損を来たすおそれがあるという問題点がある。
【発明の概要】
【発明が解決しようとする課題】
【０００６】
本発明の目的は、輸送車両に搭載され運送される掘削機が道路の陸橋の下を通過したり、天井の低い地下作業場などにおいて作業を行う際に、障害物との接触による破損を防ぐために衛星アンテナの高さを低くすることのできる建設機械用衛星アンテナ固定装置を提供することにある。
【０００７】
本発明の他の目的は、衛星アンテナの高さを低くするために水平に倒した衛星アンテナのポールを弾持して、建設機械に繰り返し発生する揺動による衛星アンテナの損傷を予防することのできる建設機械用衛星アンテナ固定装置を提供することにある。
【課題を解決するための手段】
【０００８】
本発明の実施形態に係る建設機械用衛星アンテナ固定装置は、
建設機械の運転室の内部に設けられた衛星受信機の信号受信のために運転室の外部に取り付けられる建設機械用衛星アンテナ固定装置において、
運転室の外側面に取り付けられる第１取付部と、第１取付部から延びて曲設される第２取付部と、第２取付部に対して曲設される第３取付部と、を有するブラケットと、
第２取付部の上に取り付けられて衛星信号を受信する衛星アンテナと、
建設機械の運送中または作業中における障害物との接触による衛星アンテナの破損を防ぐために水平方向に倒した衛星アンテナのポールを第３取付部に固定するハンガーと、を備える。
【０００９】
より好適な実施形態によれば、上述のハンガーは、建設機械に繰り返し発生する揺動による衛星アンテナの損傷を予防可能に、第３取付部に一方の端が固定され、横に倒した衛星アンテナのポールに他方の端が支持されて弾持する引張コイルバネからなる。
【００１０】
また、前記建設機械用衛星アンテナ固定装置は、上述の衛星アンテナを横に倒して高さを低くした後、これを解除する時に、ポールが元の状態に円滑に戻るように衛星アンテナのポールの外側面を覆うチューブ状のゴム製のカバーを備える。
【００１１】
さらに、前記建設機械用衛星アンテナ固定装置は、上述のブラケットの第２取付部の側面に形成され、第３取付部に一方の端が固定されるハンガーの他方の端が載置される係止溝を備える。
【発明の効果】
【００１２】
上述の構成を有する本発明の実施形態に係る建設機械用衛星アンテナ固定装置は、下記のメリットを有する。
【００１３】
すなわち、本発明によれば、輸送車両に搭載され運送される掘削機が陸橋の下を通過したり、天井の低い地下作業場などにおいて作業を行う際に、衛星アンテナの高さを低くして障害物との接触による破損を防ぐことができる。また、衛星アンテナを水平に倒してその高さを低くした状態で作業中に繰り返し発生する揺動による衛星アンテナの損傷を予防することができる。
【図面の簡単な説明】
【００１４】
【図１】従来の技術による建設機械用衛星アンテナの使用状態図である。
【図２】本発明の実施形態に係る建設機械用衛星アンテナ固定装置において、衛星アンテナを運転室に取り付けるブラケットの斜視図である。
【図３】本発明の実施形態に係る建設機械用衛星アンテナ固定装置の第１使用状態図である。
【図４】本発明の実施形態に係る建設機械用衛星アンテナ固定装置の第２使用状態図である。
【発明を実施するための形態】
【００１５】
以下、添付図面に基づき、本発明の好適な実施形態について詳述するが、これは本発明が属する技術分野において通常の知識を有する者が発明を容易に実施できる程度に詳細に説明するためのものであり、これにより本発明の技術的な思想及び範疇が限定されることはない。
【００１６】
図２から図４に示す本発明の実施形態に係る建設機械用衛星アンテナ固定装置は、
運転室の内部に設けられた衛星受信機（図示せず）の信号受信のために運転室の外部に取り付けられる建設機械用衛星アンテナ固定装置において、
運転室１の外側面にボルト２により取り付けられる第１取付部１０と、第１取付部１０から延びて曲設される第２取付部１１と、第２取付部１１に対して曲設される第３取付部１２と、を有するブラケット１３と、
第２取付部１１の上に取り付けられて衛星信号を受信する衛星アンテナ５と、
建設機械の運送中または作業中における障害物との接触による衛星アンテナ５の破損を防ぐために水平方向に倒したポール１４を第３取付部１２に固定するハンガー１５と、を備える。
【００１７】
このとき、上述のハンガー１５は、建設機械に繰り返し発生する揺動によって横に倒した衛星アンテナ５の損傷を予防可能なように、第３取付部１２に一方の端が固定され、横に倒した衛星アンテナ５のポール１４に他方の端が支持されて弾持する引張コイルバネからなる。
【００１８】
また、前記建設機械用衛星アンテナ固定装置は、上述の衛星アンテナ５を横に倒して高さを低くした後、これを解除する時に、ポール１４が元の状態に円滑に戻るように衛星アンテナ５のポール１４の外側面を覆うチューブ状のゴム製のカバー１６を備える。
【００１９】
さらに、前記建設機械用衛星アンテナ固定装置は、上述のブラケット１３の第２取付部１１の側面に形成され、第３取付部１２に一方の端が固定されるハンガー１５の他方の端が載置される係止溝１１ａを備える。
【００２０】
このとき、本発明の実施形態に係る建設機械用衛星アンテナ固定装置において、上述の運転室１と、運転者保護構造物９と、衛星アンテナケーブル６と、作業灯７と、ブラケット１３を固定するボルト２により運転室１に取り付けられる警光灯８と、を備える構成は、図１に示す建設機械用衛星アンテナの構成と同様であるため、これらについての詳細な説明は省き、同じ構成要素には同じ図面符号を付する。
【００２１】
以下、添付図面に基づき、本発明の実施形態に係る建設機械用衛星アンテナ固定装置の使用例について説明する。
【００２２】
図３に示すように、作業中または走行中に、運転室１の後方の外側面に取り付けられるブラケット１３の第２取付部１１にポール１４が垂直上方を向くように固定された衛星アンテナ５を介して衛星信号を受信することができる。
【００２３】
このとき、ブラケット１３の第３取付部１２に一方の端が固定されるハンガー（例えば、引張コイルバネが用いられる）１５の他方の端は、第２取付部１１の側面に形成された係止溝１１ａに載置された状態を維持する。これにより、作業中に発生する振動などによって第２取付部１１からハンガー１５が滑り抜けることを防ぐことができる。
【００２４】
図４に示すように、掘削機を輸送車両に搭載して運送する途中で陸橋の下を通過する時、天井の低い作業場や狭い地下工事現場などで作業を行う時に、工具を用いることなく衛星アンテナ５を低くして、障害物との接触による衛星アンテナ５の破損を防ぐことができる。
【００２５】
すなわち、衛星アンテナ５の高さを低くするためにポール１４を水平方向に折り曲げるが、ブラケット１３の第２取付部１１に一方の端が固定されたハンガー１５の他方の端がポール１４の外側面に引っ掛かる。
【００２６】
このとき、上述のハンガー１５には引張力が加えられているため、横になった衛星アンテナ５のポール１４を弾持することになる。これにより、作業中に建設機械に繰り返し発生する振動などがハンガー１５に吸収されるので、衝撃などによる衛星アンテナ５の損傷を予防することができる。
【００２７】
一方、上述の衛星アンテナ５のポール１４を水平方向に倒して高さを低くした後、地下工事現場などにおける掘削機を用いた作業が終わってこれを解除する時（水平方向に倒したポール１４を弾持するハンガー１５をポール１４から離脱させることにより、図３に示すように、ポール１４が垂直上方に起立する時をいう）、ポール１４の外側面を覆うチューブ状のゴム製のカバー１６の弾性復元力によってポール１４を元の位置まで円滑に戻すことができる。
【００２８】
以上述べたように、本発明の実施形態に係る建設機械用衛星アンテナ固定装置によれば、車両によって運送される掘削機が道路の陸橋の下を通過したり、天井の低い地下作業場などにおいて作業を行う際に、衛星アンテナを水平に倒して障害物との接触による破損を防ぐことができ、水平に倒した衛星アンテナのポールを弾持して建設機械に繰り返し発生する揺動による衛星アンテナの損傷を予防することができる。
【符号の説明】
【００２９】
１  運転室
２  ボルト
５  衛星アンテナ
６  衛星アンテナケーブル
７  作業灯
８  警光灯
９  運転者保護構造物
１０  第１取付部
１１  第２取付部
１２  第３取付部
１３  ブラケット
１４  ポール（ｐｏｌｅ）
１５  ハンガー
１６  カバー
【図１】
0005647376.tif 000002
【図２】
0005647376.tif 000003
【図３】
0005647376.tif 000004
【図４】
0005647376.tif 000005